(57)【要約】【課題】発光ダイオードとレンズの結合設計により実用性を増加する横向き式固体半導体発光素子の改良構造を提供する。【解決手段】発光ダイオードパッケージとレンズとを主に設け、その中では、このレンズは発光ダイオードパッケージ前端の表面に設けられ、発光ダイオードからの光線を受光し、並びに受光した光線は曲折部の新たなガイドで、レンズからの光線が発光ダイオードパッケージの横周縁に辿り着き、又、レンズの周縁面は変化を設け、横向き光線を周縁面の変化に伴ない変化する横向き式固体半導体発光素子（発光ダイオード）の改良構造。【選択図】  図２
0003111111.tif 000002
【実用新案登録請求の範囲】
【請求項１】
接続ピンを有するベースを主に設け、ベースにチップが結合される発光ダイオードパッケージと、
底部に収納空間が設けられ、天辺は周縁から円心方向に徐々に凹み、凹み面は曲折部として設けられ、レンズの天辺周縁には投射部が形成されるレンズとを含み、
レンズをベースに結合し、チップをレンズ底部の収納空間で覆い組立てられ、チップが発光する時に、正方向光がレンズの曲折部の曲折を経て、光線を新たにガイドし側方向の投射部から出射することで、極めて好ましい側光源を供給することを特徴とする、横向き式固体半導体発光素子の改良構造。
【請求項２】
前記レンズ投射部は、光線を均一に出射する平滑面に設けることを特徴とする、請求項１に記載の横向き式固体半導体発光素子の改良構造。
【請求項３】
前記レンズ投射部は、光線を散乱する凹面に設けることを特徴とする、請求項１に記載の横向き式固体半導体発光素子の改良構造。
【請求項４】
前記レンズ投射部は、光線を集光する凸面に設けることを特徴とする、請求項１に記載の横向き式固体半導体発光素子の改良構造。
【考案の詳細な説明】
【技術分野】
【０００１】
本考案は、横向き式固体半導体発光素子の改良構造に関し、とくに、発光ダイオードより発する光が、レンズからの新たなガイドを経て光線の投射径路を改変し、また径路変更した光線が再びレンズ周縁の変化に伴い変化し、売り場や各種の広告看板及びバックライト光源等或は類似品の構成に適用するものである。
【背景技術】
【０００２】
一般に、従来の発光ダイオードが発する光は、正方向の光で、回路基板と結合した後、発光ダイオードがどの方向の光を発するのは、最も簡単な方法が、回路基板の設置位置を変更する事であり、例えば、発光ダイオードが横向き光を発しようとする時、回路基板を機体内に垂直に設置し、発光ダイオードが下向き光を発しようとする時、回路基板を機体の天辺に設置する。
【０００３】
もう一方の改良方法は、図１を参考にし、公告第４３３５２２号「側発光ダイオード装置」は、第一接続ピンＡと、第一接続ピンＡの上端に設置され発光ダイオードＣを支持しかつ出光口が上向いている集光リングマスクＡ１と、上端部と第一接続ピンＡの上端とが適当なピッチで設置する第二接続ピンＢと、集光リングマスクＡ１内に固着される発光ダイオードＣと、集光リングマスクＡ１、発光ダイオードＣ、第一接続ピンＡ及び第二接続ピンＢの上半部を封止し、また成形した後にその外表面を凸円Ｄ１に形成し、第一接続ピンＡ及び第二接続ピンＢの下半部を露出させる透光プラスチック材Ｄとを含むものである。
前記側発光ダイオード装置は、第一接続ピンＡ及び第二接続ピンＢの下半部を側折りした側折り部Ｅが夫々形成でき、チップから発射する光が出光口及び透光プラスチック材を経て横向きに出射し、更に良い側発光ダイオード装置が形成され、更に押さえ型プロセスのコストを大幅に低下させる。
【考案の開示】
【考案が解決しようとする課題】
【０００４】
簡潔に言うと、上述の特許は、作成した発光ダイオードを、接続ピン部には折曲角が設置され、元の上向きに出射する正方向光を側面に出射する横向きの光に形成させる。しかし、上述の方法は発光ダイオードの設置位置或は角度を変更したのみで、発光ダイオードの出射する光線が使用者の要望な方向へと達するように更なる一歩を目指すが、これら出射する光線が更に特別な変化を有することはできないので、実際に使用する上ではやはり使用者の要望なものとは合致しない。
【０００５】
本考案の主な目的は、発光ダイオードとレンズの結合設計により、発光ダイオードは接続ピンを折り曲げることあるいは回路基板の取付位置を変更することはなく、発した光線がレンズの新たなガイドを経て、極めて好ましい側光源効果を達成し、再びレンズ周縁面の変化を経て側光源をそれに伴い変化させ、実用性を増加する横向き式固体半導体発光素子の改良構造を提供する。
【課題を解決するための手段】
【０００６】
上述の目的を達する為に、本考案は、発光ダイオードパッケージとレンズとを設け、前記レンズは前記発光ダイオードパッケージ前端の表面に設けられ、発光ダイオードからの光線を受光し、並びに受光した光線は曲折部の新たなガイドで、レンズからの光線が発光ダイオードパッケージの横周縁に辿り着き、又、レンズの周縁面は例えば凸或は凹の変化を設け、横向き光線を周縁面の変化に伴い変化するものである。
【０００７】
本考案の第一考案は、接続ピンを有するベースを主に設け、ベースにチップが結合される発光ダイオードパッケージと、底部に収納空間が設けられ、天辺は周縁から円心方向に徐々に凹み、凹み面は曲折部として設けられ、レンズの天辺周縁には投射部が形成されるレンズとを含み、レンズをベースに結合し、チップをレンズ底部の収納空間で覆い組立てられ、チップが発光する時に、正方向光がレンズの曲折部の曲折を経て、光線を新たにガイドし側方向の投射部から出射することで、極めて好ましい側光源を供給することを特徴とする、横向き式固体半導体発光素子の改良構造を要旨とする。
【０００８】
本考案の第二考案は、前記レンズ投射部は、光線を均一に出射する平滑面に設けることを特徴とする、本考案の第一考案に記載の横向き式固体半導体発光素子の改良構造を要旨とする。
【０００９】
本考案の第三考案は、前記レンズ投射部は、光線を散乱する凹面に設けることを特徴とする、本考案の第一考案に記載の横向き式固体半導体発光素子の改良構造を要旨とする。
【００１０】
本考案の第四考案は、前記レンズ投射部は、光線を集光する凸面に設けることを特徴とする、本考案の第一考案に記載の横向き式固体半導体発光素子の改良構造を要旨とする。
【考案の効果】
【００１１】
以上のように、本考案の装置は以下の利点を有することが分る。
（１）正方向の光を出射する発光ダイオードは、接続ピンの角度及び取付位置を変更しない状態に、正方向の光を極めて好ましい側光源に新たにガイドする。
【００１２】
（２）レンズの曲折部よりチップ１１から発する正方向光を側光に変更できる以外に、投射部の変化、例えば、均一光線を投射する平滑面や光線を散乱する凹面或は光線を集光する凸面などにより、出射した側光をそれに伴ない変化させ、実用性を増加する。
【考案を実施するための最良の形態】
【００１３】
以下に添付図面を参照しながら、本考案の其の外の特徴及び具体的な実施例を詳細的に説明する。
【実施例】
【００１４】
図２、図３を共に参照すると、本考案の横向き式固体半導体発光素子は、発光ダイオードパッケージ１０とレンズ２０とを含み、レンズ２０は上から下方向に発光ダイオードパッケージ１０のチップ１１を覆い組立てる。レンズ２０は円柱体に大体設けられ、レンズ２０の底部に収納空間２２が凹設され、発光ダイオードパッケージ１０のチップ１１をその中に収納させ、レンズ２０の天辺は周縁から円心方向に徐々に凹み、凹み面は曲折部２１として設けられ、かつレンズ２０の天辺（即ち、凹み面）の外側周縁には投射部２３が形成され、投射部２３は光線を均一に出射する平滑面で、チップ１１の上向き出射する光線がレンズ２０の曲折部２１の曲折を経て、曲折された光線を側周縁の投射部２３から均一に出射させ、正方向光を新たにガイドされ側光に形成させる。
【００１５】
図４を参照すると、本考案の実施例の好ましい応用例であり、レンズ２０は同じ円柱体に設けられ、底部に発光ダイオードパッケージ１０のチップ１１を覆う収納空間２２が設置され、天辺にも円心方向に徐々に凹む曲折部２１が設けられる。投射部２３は平滑面で凹面として設けられ、チップ１１の上向き出射する光線がレンズ２０の曲折部２１の曲折を経て、側周縁の投射部２３から出射させるが、投射部２３は凹面として設けられ、この凹面は光線を散乱する凹レンズに形成している。よって図５に示すように、供給される側光源が更に変化性を持たされ、実用性を増加する。
【００１６】
図６〜図７をさらに参照すると、本考案のレンズ２０は、投射部２３も平滑面で凸面として設けられ、使用する際にチップ１１の出射する正方向光が曲折部２１の曲折を経てから側光に形成し、側光は凸面に設ける投射部２３の投射を再び経て、光線を集光できる凸レンズを経るように集光させ、出射した光線がフォーカスを有するものになる。
【００１７】
しかし、以上のようなものは、単に本考案の実施可能な実施例に過ぎなく、本考案の主張範囲を局限するものではなく、いずれの当該分野における通常の知識を有する専門家が本考案の分野の中で、適当に変更や修飾などを実施できるが、それらの実施のことが本考案の主張範囲内に納入されるべきことが言うまでもないことである。
【００１８】
以上のように、本考案は確かに本創作の予期目的を達成でき、発光ダイオードの接続ピンを折り曲げ或は回路基板を機体に取付ける位置を変更することはなく、側光源を発することができ、並びに側光源をさらに変化させる横向き式固体半導体発光素子の改良構造を提供し、実用価値を備えることが言うまでもない、法に従って実用新案出願を提起する。
【図面の簡単な説明】
【００１９】
【図１】従来の横向き式発光ダイオードを示す断面図である。
【図２】本考案の実施例の斜視外観図である。
【図３】本考案の実施例を示す断面図である。
【図４】本考案の実施例の第一応用例を示す斜視断面図である。
【図５】図４の光線経路を示す図である。
【図６】本考案の実施例の第二応用例を示す斜視断面図である。
【図７】図６の光線経路を示す図である。
【符号の説明】
【００２０】
Ａ    第一接続ピン
Ａ１  集光リングマスク
Ｂ    第二接続ピン
Ｃ    発光ダイオード
Ｄ    透光プラスチック材
Ｄ１  凸円
Ｅ    側折り部
１０  発光ダイオードパッケージ
１１  チップ
２０  レンズ
２１  曲折部
２２  収納空間
２３  投射部
【図１】
0003111111.tif 000003
【図２】
0003111111.tif 000004
【図３】
0003111111.tif 000005
【図４】
0003111111.tif 000006
【図５】
0003111111.tif 000007
【図６】
0003111111.tif 000008
【図７】
0003111111.tif 000009